(57)【特許請求の範囲】
【請求項１】
マスターシートを案内搬送する傾斜した現像パレット上に現像液を噴射する現像液ノズルを配置し、現像部入口ローラの回転運動で前記現像パレットと前記現像液ノズルの間にマスターシートを送り込む製版機の湿式現像装置において、前記現像部入口ローラの上従動ローラを、長さ方向に互いに隣合うように分割かつ離間関係におき、前記現像部入口ローラに平行関係を保って同現像部入口ローラと前記現像液ノズルとの間に位置された横架支持軸には、分割された前記上従動ローラの間に介在される複数の分割円筒部材即ち圧下重錘が緩く嵌められ、前記現像部入口ローラと現像液ノズルとの間に位置する前記圧下重錘をマスターシートに弾力的に接触させ、前記現像液ノズルの下面に対するマスターシート感光面の接触を防止したことを特徴とする製版機の湿式現像装置。
【発明の詳細な説明】
【０００１】
【発明の属する技術分野】
本発明は感光体シートの潜像を現像する現像装置に関し、特に、感光体シートであるマスターシートの表面の静電潜像を現像する製版機の湿式現像装置に関する。
【０００２】
【背景技術】
周知のように、印刷原版となるマスターシートを作成する製版機においては、湿式現像装置によりマスターシートの表面の静電潜像を現像するが、従来の湿式現像装置は図５に示されたような構造とされている。
【０００３】
図５の符号”Ａ”はマスターシートの現像を行う現像パレットであり、この現像パレットＡは出口側を下降した状態にある。この現像パレットＡ上には現像液を膜状に噴出する現像液ノズルＢが位置され、同現像パレットＡの入口側に位置された現像部入口ローラＣでマスターシートＸを現像装置内に取り込む。
【０００４】
【発明が解決しようとする課題】
したがって、現像部入口ローラＣの回転運動でマスターシートＸが現像パレットＡ上に取り込まれ、その表面の静電潜像が現像されるけれども、同マスターシートＸはボビンに巻かれたマスターシートロールから切断されるので、巻きぐせが強いカールしたマスターシートＸであるため、物理的に活性化された状態にあるマスターシートＸが現像液ノズルＢの下面に接触し、画像にスリ傷等が形成されて、画像品質が低下することがあった。
【０００５】
ことに、現像液ノズルＢの下面に対するマスターシートＸの接触は、最近開発されたプラスチックウエブをベースとするマスターシートＸの場合に巻きぐせが強く、特に問題になり、マスターシートＸの貴重な感光表面が強く擦られて、形成される画像が劣化する傾向がある。
【０００６】
本発明の目的は、以上に述べたような従来の製版機の湿式現像装置の問題に鑑み、巻きぐせの強いカールしたマスターシートであっても、その感光表面が現像液ノズルの下面に接触することのない製版機の湿式現像装置を得るにある。
【０００７】
【課題を解決するための手段】
この目的を解決するため、本発明は、マスターシートを案内搬送する傾斜した現像パレット上に現像液を噴射する現像液ノズルを配置し、現像部入口ローラの回転運動で前記現像パレットと前記現像液ノズルの間にマスターシートを送り込む製版機の湿式現像装置において、前記現像部入口ローラの上従動ローラを、長さ方向に互いに隣合うように分割かつ離間関係におき、前記現像部入口ローラに平行関係を保って同現像部入口ローラと前記現像液ノズルとの間に位置された横架支持軸には、分割された前記上従動ローラの間に介在される複数の分割円筒部材即ち圧下重錘が緩く嵌められ、前記現像部入口ローラと現像液ノズルとの間に位置する前記圧下重錘をマスターシートに弾力的に接触させ、前記現像液ノズルの下面に対するマスターシート感光面の接触を防止した製版機の湿式現像装置を提案するものである。
【０００８】
本発明によれば、圧下重錘を横架支持軸に緩く嵌めた複数の厚肉円筒で構成するため、マスターシートの表面に厚肉円筒をコロガリ接触させることができるので、活性化状態にあるマスターシートにコスリ傷を与えることがない。
【０００９】
【発明の実施の形態】
以下、図１から図４について本発明の実施例の詳細を説明する。
図１は本発明を施した製版機の全体断面を示し、外部光を遮光できる機体１の右下部にはそれぞれサイズの異なったマスターシートロールを装架できる第１給紙装置２Ａ及び第２給紙装置２Ｂが内蔵される。
【００１０】
これらの第１給紙装置２Ａ及び第２給紙装置２Ｂは、マスターシートロールを取り付けられる着脱自在な装架ドラム２ａ、マスターシートＸの先端を引き出す繰出ローラ２ｂ、同マスターシートＸを指定された長さに切断するカッター２ｃ、給紙ローラ２ｄをそれぞれ備え、切断されたマスターシートＸは第１パス３ａ及び第２パス３ｂを通って給紙パス３に送り出される。
同給紙パス３の途中にはマスターシートＸに荷電を行う帯電電極４が設けられ、同帯電電極４を通ったマスターシートＸは副走査速度で調速駆動される機体１の上部中央のフィードロール５に供給される。
【００１１】
フィードロール５に位置したマスターシートＸの表面には、レーザ走査ユニット６から原稿画像がビーム走査され、同走査によりマスターシートＸの感光面に原稿画像が潜像化された後、同マスターシートＸは機体１の左半部にある湿式現像装置７に引き渡される。
【００１２】
詳細を後述する湿式現像装置７はマスターシートＸが通過される現像パレット１１上に現像液を噴出する現像液ノズル１３を有し、マスターシートＸの搬送方向に下降傾斜された前記現像パレット１１の下方には現像液を回収する現像液槽１５が位置してある。
また、湿式現像装置７は詳細を後述する第１噴射パイプ１９及び第２噴射パイプ２１へ現像液を圧送する現像液ポンプ２３を有する。
【００１３】
原稿画像を現像されたマスターシートＸは湿式現像装置７の出口側に隣り合わされた加熱定着装置８で乾燥されてトナー画像を定着され、機体１の左側上部に設ける排紙ローラ９の排出運動で機体１外部の捕集トレー１０上に捕集されることになる。
なお、図示は省略するけれども、マスターシートＸの通過タイミングを検出するため、前述した湿式現像装置７の入口には通過するマスターシートＸの先端を検出する現像部入口センサＳ1 が、通過するマスターシートＸの後端を検出する排紙センサＳ2 が排紙ローラ９位置に配置される。
【００１４】
図２は前述した湿式現像装置７の詳細を示し、現像装置フレーム３１に支持された現像パレット１１の入口側には矢印方向に回転駆動される現像部入口ローラ３３が支持され、これらの現像部入口ローラ３３の送り運動によりマスターシートＸが現像パレット１１上に取り込まれる。
また、前記現像パレット１１の入口側上部には図２の紙面と直角な方向に延長した整流ブレード３５をもつ現像液ノズル１３が位置され、前記第１噴射パイプ１９から圧送された現像液が同現像液ノズル１３の先端から現像パレット１１の表面に膜状に噴出されるが、前記現像液ノズル１３との間には現像パレット１１の幅方向に延長した横架支持軸３７が支持され、この横架支持軸３７には重力で自然に下降される圧下重錘が支持される。
【００１５】
図３及び図４に示されているように、図示例の圧下重錘は横架支持軸３７の外径よりも充分に内径の大きな金属製厚肉円筒３９からなり、同厚肉円筒３９は横架支持軸３７の長さ方向に隣り合うように複数に分割してある。
つまり、複数に分割された各厚肉円筒３９は、長さ方向に互いに隣り合うように分割かつ離間関係におかれる現像部入口ローラ３３の上従動ローラ間に介在する位置に設けられるから、各厚肉円筒３９は通過するマスターシートＸに対して、その幅方向にマスターシートＸを異ならせた位置で下方向への重力圧力を加えることができる。
勿論、本発明においては、このような複数に分割された厚肉円筒３９ばかりでなく、横架支持軸３７を中心とする重力回転モーメントを与えられた重錘形式の構造でもよく、要は巻きぐせのあるマスターシートＸの表面に接触して同マスターシートＸを矯正して現像液ノズル１３から遠ざけるものであればよい。
【００１６】
現像パレット１１の表面全体はマスターシートＸを案内する低摩擦網部材４１で覆われるが、前記現像パレット１１の入口側には前記現像液ノズル１３の直下に位置した第３噴射パイプ４３が位置され、通過するマスターシートＸの下面側に同第３噴射パイプ４３から現像液が供給され、同現像液によりマスターシートＸが吸着され、浮き上がりを防止できる。
そして、現像パレット１１の出口側上部には電極板４５が位置され、この電極板４５によりマスターシートＸ及び現像液ノズル１３から流出された現像液が案内され、同現像パレット１１の出口側端部から現像液が現像液槽１５中へ滴下・回収される。
【００１７】
前記湿式現像装置７の出口側には上絞りローラ４７Ａの周面を浄化する係脱可能な上ブレード４９が設けられる。この上ブレード４９は中間折曲げ部を枢支軸５１で支持されたベルクランク５３の従動端に固定されるもので、同ベルクランク５３の操作端には励磁により上ブレード４９を上絞りローラ４７Ａの周面に摺接できる第１電磁ソレノイド５５が接手される。
また、前記ベルクランク５３の中間折曲げ部には前記上ブレード４９と上絞りローラ４７Ａの間の空間中に現像液を噴出させる第２噴射パイプ２１が固定される。この第２噴射パイプ２１には前述した現像液ポンプ２３から現像液が圧送されるが、同第２噴射パイプ２１は、ベルクランク５３に固定せずに、現像装置フレーム３１に固定されたものであって、上ブレード４９と上絞りローラ４７Ａとの間の空間中に現像液を噴出できるものであってもよい。
【００１８】
図１に戻って、前述した加熱定着装置８は前記湿式現像装置７から現像されたマスターシートＸを引き取る定着部入口ローラ５７及びマスターシートＸのトナー像を乾燥・定着するパネルヒータ５９を有し、パネルヒータ５９の上方には通過するマスターシートＸの表面に乾燥風を吹き付ける乾燥ファン６１が設けてある。
【００１９】
図示実施例による製版機の湿式現像装置は、以上のような構造であるから、静電潜像を表面に形成されたマスターシートＸは、図４に示すように、現像部入口ローラ３３の回転送り運動により現像パレット１１と現像液ノズル１３との間に送り込まれ、同現像液ノズル１３から噴出される現像液により静電潜像を現像される。
この現像部入口ローラ３３による搬送の場合、マスターシートＸに曲げぐせ等のカールがあると、同マスターシートＸは横架支持軸３７に支持された厚肉円筒３９に接触され、これらの厚肉円筒３９の重量がマスターシートＸに加わる。
【００２０】
厚肉円筒３９によるこの場合の圧力は、マスターシートＸの幅方向に位置を異にした複数の位置に作用されるから、マスターシートＸのカール状態が幅方向に異なっている際には、カール状態が激しい程大きな圧力がマスターシートＸの表面に加わる。
この結果、厚肉円筒３９位置を通過する際に、マスターシートＸの形状が略直線的な状態に整えられるから、現像液ノズル１３の下面にマスターシートＸが接触することはなくなり、同接触による画像品質の劣化が予防される。
【００２１】
以上の説明から明らかなように、本発明によれば、横架支持軸に支持された圧下重錘を現像部入口ローラと現像液ノズルとの間に位置して、通過するマスタージートに圧下重錘で圧力を加えるので、マスターシートの表面の現像液ノズル下面への接触を防止して画像品質を向上でき、厚保下重錘を横架支持軸に緩く嵌めた厚肉円筒で構成するため、マスターシートの表面に厚肉円筒をコロガリ接触させることができるので、活性状態にあるマスターシートにコスリ傷を与えることがない。
【図面の簡単な説明】
【図１】本発明を施した製版機の全体断面図である。
【図２】同製版機の湿式現像装置の断面図である。
【図３】同湿式現像装置の要部拡大斜視図である。
【図４】同湿式現像装置の要部拡大断面図である。
【図５】従来の湿式現像装置の説明図である。
【符号の説明】
Ｘ            マスターシート
７            湿式現像装置
１１          現像パレット
１３          現像液ノズル
１９          第１噴射パイプ
３３          現像部入口ローラ
３７          横架支持軸
３９          厚肉円筒（圧下重錘）
【図１】
0003724291.tif 000002
【図２】
0003724291.tif 000003
【図３】
0003724291.tif 000004
【図４】
0003724291.tif 000005
【図５】
0003724291.tif 000006